(57)【要約】【課題】大当たり終了後に直ちに時短状態に移行しない構成を採用した場合でも、遊技者の抱く損失感を補填し、遊技に対する興趣を高めることが可能なパチンコ遊技機を提供する。【解決手段】可変入賞装置の入賞状態を、入賞率が相対的に高い高入賞状態と、相対的に低い低入賞状態とのいずれかに制御し、抽選処理に基づいて実行される大当たり遊技が終了した後の入賞状態を高入賞状態と低入賞状態のいずれにするか選択し、高入賞状態が選択されたとき、大当たり遊技が終了した後の入賞状態を所定の潜伏期間だけ低入賞状態としてから高入賞状態に移行することで、高入賞状態が選択されたことを潜伏期間だけ遊技者には報知しないか否かを決定し、低入賞状態が選択されたとき、潜伏期間情報に基づいて、大当たり遊技が終了した後の入賞状態を所定の補填期間だけ高入賞状態としてから当該低入賞状態に移行するか否かを決定することを特徴とする。【選択図】図１４
2010142468.tif 000002
【特許請求の範囲】
【請求項１】
遊技領域に設けられ、所定の開放条件の成立に基づいて所定の開放期間だけ入賞容易な開放状態を呈する可変入賞装置と、
前記可変入賞装置が開放状態を呈する時間の相違により、当該可変入賞装置への入賞率が相対的に高く設定された高入賞状態と、相対的に低く設定された低入賞状態とのいずれかの入賞状態に制御する入賞状態制御手段と、
所定の始動条件の成立に基づいて抽選処理が行われ、その抽選結果が大当たりであったとき遊技者に有利な大当たり遊技を実行する遊技制御手段と、
前記大当たり遊技が終了した後の入賞状態を高入賞状態と低入賞状態のいずれにするか選択する入賞状態選択手段と、
前記入賞状態選択手段が高入賞状態を選択したとき、前記大当たり遊技が終了した後の入賞状態を所定の潜伏期間だけ低入賞状態としてから高入賞状態に移行することで、当該入賞状態選択手段により高入賞状態が選択されたことを前記潜伏期間だけ遊技者には報知しない潜伏処理を実行するか否かを決定する潜伏実行決定手段と、
前記潜伏期間に関する情報を潜伏情報として記憶する潜伏情報記憶手段と、
前記入賞状態選択手段が低入賞状態を選択したとき、前記潜伏情報記憶手段に記憶されている潜伏情報に基づいて、前記大当たり遊技が終了した後の入賞状態を所定の補填期間だけ高入賞状態としてから低入賞状態に移行する補填処理を実行するか否かを決定する補填実行決定手段と、
を備えることを特徴とするパチンコ遊技機。
【請求項２】
前記入賞状態制御手段は、前記入賞状態を高入賞状態に移行した後、新たな大当たり遊技が実行されることなく前記抽選処理が所定回数実行されたとき、当該入賞状態を低入賞状態へ移行するよう構成されており、
前記潜伏情報記憶手段は、前記潜伏実行決定手段が前記潜伏処理の実行を決定したときは、前記潜伏情報が記憶されていればその記憶されている潜伏情報に新たな潜伏情報を追加して記憶するとともに、高入賞状態において新たな大当たり遊技が実行されることなく低入賞状態へ移行したとき、および前記補填期間に新たな大当たり遊技が実行されるときは、前記潜伏情報が記憶されていれば当該潜伏情報を消去し、
前記補填実行決定手段は、前記潜伏情報記憶手段に前記潜伏情報が記憶されていないときは、前記潜伏処理の未実行を決定し、前記潜伏情報記憶手段に前記潜伏情報が記憶されているときは、その累積的に記憶されている当該潜伏情報に基づいて前記補填期間を決定するとともに、前記潜伏処理の実行を決定する請求項１に記載のパチンコ遊技機。
【請求項３】
前記遊技領域に設けられた第１始動口と、
前記可変入賞装置内に設けられた第２始動口と、を備え、
前記抽選処理は、前記第１始動口および前記第２始動口への入賞に基づいて抽選を行っており、
前記抽選処理が前記第２始動口への入賞時には前記第１始動口への入賞時に比べて高確率で大当たりとなる抽選を行うことで、前記高入賞状態にある期間中は前記入賞率の高められた当該第２始動口への入賞に基づいて容易に次の大当たり遊技が実行されるように構成されており、
前記入賞状態選択手段は、前記第１始動口への入賞に基づく抽選結果が大当たりであったとき、その直後に実行される大当たり遊技の終了後を高入賞状態と低入賞状態のいずれにするかを選択するとともに、当該大当たり遊技の終了後を高入賞状態にすると決定するときは、これ以降に実行される大当たり遊技の終了後を何回連続して高入賞状態としてから低入賞状態とするかを選択する請求項１または請求項２に記載のパチンコ遊技機。
【発明の詳細な説明】
【技術分野】
【０００１】
本発明は、パチンコ遊技機に関するものである。
【背景技術】
【０００２】
従来、パチンコ遊技機では、遊技領域に設けられた始動口への入賞に基づいて特図の抽選処理が実行され、その抽選結果が大当たりであれば大入賞装置（アタッカー）を開放して入賞率を高めることで、遊技者に多量の玉を払い出すよう構成されている。さらに大当たりの種類に応じて、その大当たりが終了してから始動口を有する電チューの入賞率を高めた時短状態とすることで、玉持ちよく遊技できるように構成されているものもある。
【０００３】
市場に投入されているこの種のパチンコ遊技機では、大当たりの種類に応じて時短状態を付与すると決定された場合は、その大当たりが終了すると直ぐに時短状態となるものが一般的であるが、大当たりが終了してから特図の変動表示が所定回数行われてから時短状態に移行するパチンコ遊技機が考案されている。このパチンコ遊技機では、大当たりが終了してから暫くは時短状態が付与されるか否かを遊技者にはわからないようにすることで、大当たり終了後の遊技の継続意欲を持続させるようにしている（特許文献１参照）。
【０００４】
【特許文献１】特開２００５−２９６５０５号公報
【発明の開示】
【発明が解決しようとする課題】
【０００５】
特許文献１の構成により、大当たり終了後の遊技者の期待感を高めることはできるが、遊技者は時短状態が開始されるまでは玉持ちの悪い遊技を行うことになるため、時短状態となった時点では直前の大当たりにおいて払い出された玉が相当数減ってしまう。これは、大当たり終了後に時短状態に移行すれば玉持ちよく遊技できるという遊技者の先入観に反することになるので、大当たり終了後暫くしてから時短状態となったときに遊技者は玉が減ってしまったことによる損失感を抱いてしまい、遊技に対する興趣を低下させてしまう恐れがある。
【０００６】
さらに、特許文献１には、大当たりが終了してから時短状態が開始されるまでに所定の潜伏期間を設けることに対し遊技者が損失感を抱いてしまうこと、およびその損失感を補填する手段については、開示・示唆ともない。
【０００７】
上記問題を背景として、本発明の課題は、大当たり終了後に直ちに時短状態に移行しない構成を採用した場合でも、遊技者の抱く損失感を補填し、遊技に対する興趣を高めることが可能なパチンコ遊技機を提供することにある。
【課題を解決するための手段および発明の効果】
【０００８】
上記課題を解決するためのパチンコ遊技機は、遊技領域に設けられ、所定の開放条件の成立に基づいて所定の開放期間だけ入賞容易な開放状態を呈する可変入賞装置と、
可変入賞装置が開放状態を呈する時間の相違により、当該可変入賞装置への入賞率が相対的に高く設定された高入賞状態と、相対的に低く設定された低入賞状態とのいずれかの入賞状態に制御する入賞状態制御手段と、
所定の始動条件の成立に基づいて抽選処理が行われ、その抽選結果が大当たりであったとき遊技者に有利な大当たり遊技を実行する遊技制御手段と、
大当たり遊技が終了した後の入賞状態を高入賞状態と低入賞状態のいずれにするか選択する入賞状態選択手段と、
入賞状態選択手段が高入賞状態を選択したとき、大当たり遊技が終了した後の入賞状態を所定の潜伏期間だけ低入賞状態としてから高入賞状態に移行することで、当該入賞状態選択手段により高入賞状態が選択されたことを潜伏期間だけ遊技者には報知しない潜伏処理を実行するか否かを決定する潜伏実行決定手段と、
潜伏期間に関する情報を潜伏情報として記憶する潜伏情報記憶手段と、
入賞状態選択手段が低入賞状態を選択したとき、潜伏情報記憶手段に記憶されている潜伏情報に基づいて、大当たり遊技が終了した後の入賞状態を所定の補填期間だけ高入賞状態としてから低入賞状態に移行する補填処理を実行するか否かを決定する補填実行決定手段と、を備えることを特徴とする。
【０００９】
本発明は、大当たり終了後、高入賞状態である時短状態に移行することが設定されているときに、所定の潜伏期間だけその時短状態を潜伏させてから時短状態として動作するよう構成することで、遊技者を驚かして遊技に対する興趣を高めることができるパチンコ遊技機において、その後低入賞状態である通常状態に移行したときに、潜伏期間を補填するような所定の補填期間だけ時短状態と同様に動作することで、その潜伏期間の発生に伴って遊技者が抱いた損失感を補うことを目的とするものである。上記構成によって、大当たり後に時短状態となる前に、低入賞状態である潜伏期間を設けたことに対して遊技者が抱く損失感を解消することができ、遊技者の遊技に対する興趣を向上させることができる。
【００１０】
また、本発明のパチンコ遊技機における入賞状態制御手段は、入賞状態を高入賞状態に移行した後、新たな大当たり遊技が実行されることなく抽選処理が所定回数実行されたとき、当該入賞状態を低入賞状態へ移行するよう構成されており、
潜伏情報記憶手段は、潜伏実行決定手段が潜伏処理の実行を決定したときは、潜伏情報が記憶されていればその記憶されている潜伏情報に新たな潜伏情報を追加して記憶するとともに、高入賞状態において新たな大当たり遊技が実行されることなく低入賞状態へ移行したとき、および補填期間に新たな大当たり遊技が実行されるときは、当該潜伏情報が記憶されていれば当該潜伏情報を消去し、
補填実行決定手段は、潜伏情報記憶手段に潜伏情報が記憶されていないときは、潜伏処理の未実行を決定し、潜伏情報記憶手段に潜伏情報が記憶されているときは、その累積的に記憶されている当該潜伏情報に基づいて補填期間を決定するとともに、潜伏処理の実行を決定するように構成される。
【００１１】
具体的には、大当たりが終了してから時短状態へ移行するまでの潜伏期間が何度も生じた場合は、その後時短状態ではないときにその複数回分の潜伏期間に応じた期間を補填期間として設定し、通常状態よりも遊技者にとって有利な遊技（例えば時短状態と同様の遊技）が公平に実行できるよう構成されている。上記構成によっても、遊技者が抱く損失感を解消することができ、遊技者の遊技に対する興趣を向上させることができる。
【００１２】
また、本発明のパチンコ遊技機は、遊技領域に設けられた第１始動口と、可変入賞装置内に設けられた第２始動口と、を備え、
抽選処理は、第１始動口および第２始動口への入賞に基づいて抽選を行っており、
抽選処理が第２始動口への入賞時には第１始動口への入賞時に比べて高確率で大当たりとなる抽選を行うことで、高入賞状態にある期間中は入賞率の高められた当該第２始動口への入賞に基づいて容易に次の大当たり遊技が実行されるように構成されており、
入賞状態選択手段は、第１始動口への入賞に基づく抽選結果が大当たりであったとき、その直後に実行される大当たり遊技の終了後を高入賞状態と低入賞状態のいずれにするかを選択するとともに、当該大当たり遊技の終了後を高入賞状態にすると選択するときは、これ以降に実行される大当たり遊技の終了後を何回連続して高入賞状態としてから低入賞状態とするかを選択するように構成される。
【００１３】
上記構成により、大当たり状態が時短状態を介して連続して発生し得る遊技性（連チャン）を実現し、その連チャン中に発生した潜伏期間に対する補填期間を、その連チャンが終了して通常状態となったときに設けるように構成することで、遊技者が抱く損失感を解消することができ、遊技者の遊技に対する興趣を向上させることができる。
【発明を実施するための最良の形態】
【００１４】
以下、本発明のパチンコ遊技機の実施の形態について、図面を参照して説明する。図１に、本発明に係るパチンコ遊技機１の正面模式図を示す。パチンコ遊技機１は、台枠に取り付けられた透明ガラス板でなる前面扉２と、台枠の内側に配置されて前面扉２によって覆われる遊技盤３と、遊技盤３の左右斜め下方に配置された一対のスピーカ４と、遊技盤３の上方位置等に配置された装飾ランプ類５と、遊技盤３の下方に設けられた貯留皿である上皿３１，下皿３２と、下皿３２の右方（図１で見て）に設けられた発射ハンドル７とを含んで構成されている。
【００１５】
遊技盤３は、ほぼ円形状の遊技領域３ａが形成されており、そのほぼ中央位置に配設された中央役物１０と、中央役物１０の右方（図１で見て）に設けられた通過ゲート１１と、遊技盤３上に植設された多数本の釘３ｂ（一部のみ図示）と、中央役物１０の下方に設けられた第１始動口１９と、第１始動口１９の略右方に設けられた、いわゆる電動チューリップ（以下、電チューと略記することもある）である第２始動口１３と、第１始動口１９の下方に設けられた第１大入賞装置１４と、第１大入賞装置１４の下方に設けられた玉排出口１５と、遊技盤３の左側端部に配置されたＬＥＤでなる普通図柄（以下、普図と略記することもある）表示部１６と、普図表示部１６の上方に連設された例えば７セグメントＬＥＤでなる第１特図表示部５１，第２特図表示部５２とを含んで構成されている。
【００１６】
なお、遊技領域３ａ上の各入賞口や表示部などのレイアウトは、上述の例に制約されることなく、適宜変更可能である。
【００１７】
上皿３１に準備された玉（遊技球：２０）は、発射ハンドル７を含んで構成される発射装置１５１（図２参照）によって遊技領域３ａに向けて発射される。遊技領域３ａには釘３ｂが多数立設されており、中央位置に中央役物１０が配置されているので、レール（図示せず）を通じて遊技盤３の遊技領域３ａに達した玉２０は、それらの釘３ｂに弾かれながら中央役物１０の右側あるいは左側に振り分けられて遊技領域３ａを落下する。
【００１８】
発射ハンドル７は回転操作部材でなり、遊技者により回転操作されると、その回転操作量を表す回転操作信号を発射制御回路１５０（図２参照）に出力する。
【００１９】
中央役物１０は、特別図柄（以下、特図と略記することもある）の抽選結果により決定された３桁のアラビア数字等のキャラクタでなる図柄を表示して遊技者に特図の抽選結果を報知するもので、ＬＣＤおよびその駆動回路を含む液晶表示装置８と、液晶表示装置８の窓枠上辺に配設された特図保留表示部９とから構成されている。特図保留表示部９は、複数（例えば４個）のＬＥＤを含んで構成される。
【００２０】
また、中央役物１０には、ワープルート２１が設けられている。中央役物１０の側面に入口が開口し、玉２０は矢印のようにワープルート２１内を移動して出口から緩い傾斜が設けられたステージに流下する。ステージの遊技者側には、ステージ上を転動する玉２０がステージ上に設けられた開口部２５以外から転落しないようにガイド部材２４が取り付けられている。そして、玉２０はステージ上で左右に移動を繰り返し、開口部２５から遊技領域３ａの下部へ流下していく。
【００２１】
通過ゲート１１は、賞球がないゲートであり、通過ゲート１１に玉２０を通過させると、普図の抽選処理が行われる。普図表示部１６では、普図の抽選結果に基づいて図柄変動（ＬＥＤの点滅動作）が行われ、所定時間経過後に点灯表示すれば当たりとなり、後述する第２始動口１３の回動翼片１３ａ，１３ａを所定時間開放する。なお、普図の図柄変動中や第２始動口１３の開放動作中には、新たな普図の抽選処理は行われない。
【００２２】
第１始動口１９に玉２０が入賞すると、第１特図の抽選処理が行われる。第１特図表示部５１では、第１特図の抽選結果に基づいて図柄変動（ＬＥＤの点滅動作）が行われ、所定時間経過後に抽選結果に基づいた点灯パターンで点灯する。特図の図柄変動中や大当たり処理中に新たな第１特図の抽選処理が行なわれると、その抽選結果はＲＡＭ１１３上の特図保留記憶領域１１３ｄ（図３参照）に一時記憶（保留）され、特図保留表示部９は、最大４つまで保留できる第１特図の抽選結果に応じて点灯表示する。
【００２３】
第２始動口１３は、回動翼片１３ａ，１３ａが閉鎖しているときは釘３ｂが玉２０の入賞を阻止しており、普図表示部１６にて当たり表示がなされると、回動翼片１３ａ，１３ａを所定時間開放し、遊技領域３ａを流下する玉２０を入賞し易くする。また、第２始動口１３に玉２０が入賞すると、第２特図の抽選処理が行われる。第２特図表示部５２では、第２特図の抽選結果に基づいて図柄変動（ＬＥＤの点滅動作）が行われ、所定時間経過後に抽選結果に基づいた点灯パターンで点灯する。特図の図柄変動中や大当たり処理中には、新たな第２特図の抽選処理は行われない。なお、第２始動口１３を有するこの可変入賞装置が、本発明の可変入賞装置に相当する。
【００２４】
液晶表示装置８では、第１特図表示部５１あるいは第２特図表示部５２で行われる特図の変動表示に連動して図柄変動が行われる。詳しくは、３桁の図柄が同時に変動を開始し、所定時間経過後に停止し、３つの同じ数字が並べば大当たりとなり、大当たり処理が行われる。第１特図あるいは第２特図のいずれの抽選結果に基づいて図柄変動を行うかについては、後で詳しく述べる。
【００２５】
第１大入賞装置１４は、いわゆるアタッカーと呼ばれる可変入賞装置であり、開口部と蓋部材とから構成され、蓋部材が移動することにより開口部の閉鎖状態と開放状態とに切り替えられる。第１大入賞装置１４は、第１特図あるいは第２特図の抽選で大当たりに当選すると、１回の大当たり処理で、例えば、開放してから１０個入賞または３０秒経過で閉鎖するまでの処理を１ラウンドとして、１５ラウンド継続する処理を行う。
【００２６】
第２大入賞装置４１は、中央役物１０の右側に備えられた開閉可能な蓋部４１ａ，通路４２，振分装置４３を含んで構成される。第２大入賞装置４１は、第２特図の抽選で小当たり（詳細は後述）に当選すると、蓋部４１ａが１．５秒間開放状態となり、玉２０が通路４２を通って振分装置４３へ流下するのを容易とする。振分装置４３において、玉２０がＶ入賞口４４に流下すると、上述の大当たり状態となる。一方、玉２０がハズレ入賞口４５に流下したときには、大当たり状態とはならない。
【００２７】
なお、第２大入賞検出器１６４により第２大入賞装置４１への玉２０の入賞が検出されてから、所定時間内にＶ入賞検出器１７１あるいはハズレ入賞検出器１７２により玉２０の入賞が検出されないときには、その入賞は無効となる。
【００２８】
玉排出口１５は、遊技盤３の最下部に開口されており、遊技盤３（遊技領域３ａ）の盤面上を流下し終わった玉をパチンコ遊技機１の外部に排出する。
【００２９】
第１始動口１９，第２始動口１３，第１大入賞装置１４，または第２大入賞装置４１の入賞に応じて払出装置１４１（図２参照）から払い出された玉は、上皿３１に貯えられる。そして、上皿３１の貯留限度を超えると、上皿３１に設けられた図示しない排出口から下皿３２に設けられた流入口３３を介して下皿３２に流下する。下皿３２には、玉排出レバー３４が備えられている。遊技者が玉排出レバー３４を操作すると、下皿３２の底部に設けられた排出口（図示せず）が開口状態となり、下皿３２に貯えられた玉が、玉箱３５に流下する。
【００３０】
図２に、パチンコ遊技機１の制御ブロック図を示す。パチンコ遊技機１は、主回路１１０を搭載する主制御基板１００と、各種表示部，制御基板群，検出器，アクチュエータ等を含んで構成される。
【００３１】
主回路１１０には、特図保留表示部９，普図表示部１６および第１特図表示部５１，第２特図表示部５２等の表示部（例えばＬＥＤ）およびその駆動回路が接続されている。
【００３２】
また、主回路１１０には、液晶表示装置８を制御する表示制御回路１３０の搭載された表示制御基板（図示せず）が接続されるとともに、装飾ランプ類５ならびにアンプ４０およびスピーカ４を制御する副制御回路１２０の搭載された副制御基板（図示せず）と、発射ハンドル７からの回転操作信号に基づいて発射装置１５１を制御する発射制御回路１５０の搭載された発射制御基板（図示せず）と、払出装置１４１を制御する払出制御回路１４０の搭載された払出制御基板（図示せず）等の回路基板群が接続されている。
【００３３】
なお、パチンコ遊技機１を制御する各回路が搭載された各基板はパチンコ遊技機１の背面側に配置されており、例えば、表示制御回路１３０の搭載された表示制御基板は液晶表示装置８の背面側に配置されている。
【００３４】
また、主回路１１０には、通過ゲート１１に併設されたゲート通過検出器１６１と、第１始動口１９に併設された第１始動入賞検出器１６９と、第２始動口１３に併設された第２始動入賞検出器１６２と、第１大入賞装置１４に併設された第１大入賞検出器１６３と、第２大入賞装置４１に併設された第２大入賞検出器１６４と、電チューである第２始動口１３の可動翼片１３ａ，１３ａを開閉する電チューソレノイド１６６と、第１大入賞装置１４を開閉する第１大入賞ソレノイド１６７と、第２大入賞装置４１の蓋部４１ａを開閉する第２大入賞ソレノイド１７３と、振分装置４３に設けられたＶ入賞検出器１７１およびハズレ入賞検出器１７２等の、検出部およびアクチュエータが接続されている。
【００３５】
また、主回路１１０には、各種表示部，制御基板群，検出器，アクチュエータ等に所定電圧を供給する電源回路１６８が接続されている。
【００３６】
主回路１１０は、ＣＰＵ１１１，制御プログラム（図示せず）格納用のＲＯＭ１１２，ワークエリアや各種カウンタ（例えば、普図用乱数カウンタ，特図用乱数カウンタ）等が割り当てられるＲＡＭ１１３，Ｉ／Ｏ（Input/Output：入出力回路）１１４等を備える。ＣＰＵ１１１が制御プログラムを実行することで、パチンコ遊技機としての各種機能を実現する。その他の各基板の各回路も、個別にＣＰＵやメモリを備える構成が一般的であるが、図２では省略している。なお、主回路１１０が本発明の入賞状態制御手段、遊技制御手段，入賞状態選択手段，潜伏実行決定手段，補填実行決定手段に相当する。
【００３７】
図３に、ＲＡＭ１１３の記憶内容の一例を示す。ＲＡＭ１１３には、大当たりや特図変動等の時間管理を行うためのタイマおよびカウンタが格納される。ＲＡＭ１１３には、例えば、特図用乱数カウンタ１１３ａ，普図用乱数カウンタ１１３ｂ，潜伏用乱数カウンタ１１３ｃ，第１特図抽選結果を一時記憶（保留）する特図保留記憶領域１１３ｄ，連続回数記憶領域１１３ｅ，継続回数記憶領域１１３ｆ，潜伏回数記憶領域１１３ｇ，補填回数記憶領域１１３ｈ，状態フラグ記憶領域１１３ｊが含まれている。なお、潜伏回数記憶領域１１３ｇおよび補填回数記憶領域１１３ｈが本発明の潜伏情報記憶手段に相当する。
【００３８】
連続回数は、大当たり遊技の終了後の遊技状態を何回連続して時短状態とするかを示すもので、特図の当たり判定において大当たりとなったとき、そのときに判定された連続回数（後述）を加算し、大当たり終了後にデクリメントして時短状態となる。継続回数は、大当たり終了時に時短状態となる場合は１００をセットし、特図の変動表示を行う毎にデクリメントする。潜伏回数は、潜伏期間を設定するとき、設定時に選択された潜伏期間を加算し、潜伏期間に特図の変動表示を行う毎にデクリメントする。補填回数は、潜伏期間を設定するとき、その選択された潜伏期間（別に定められた値でもよい）を加算し、補填期間に特図の変動表示を行う毎にデクリメントする。なお、潜伏回数および補填回数が本発明の潜伏情報に相当する。
【００３９】
状態フラグは、遊技盤３上での遊技状態を示すもので、遊技状態の変化に応じた値（通常状態：０，大当たり状態：１，時短状態：２，潜伏状態：３，補填状態：４）が設定されている。そして、制御プログラムのスタート時において、状態フラグは０（通常状態）に初期化されている。なお、時短状態（２）が本発明の高入賞状態に相当し、通常状態（０）が低入賞状態に相当する。
【００４０】
図２に戻り、副制御回路１２０は、主回路１１０より入力される制御コマンドに応じてアンプ４０を介してスピーカ４より音声を出力させるとともに、装飾ランプ類５の点灯／消灯を制御する。
【００４１】
表示制御回路１３０は、副制御回路１２０から入力される表示制御コマンドに応じて、液晶表示装置８に画像を表示させるための処理を実行する。
【００４２】
払出制御回路１４０は、主回路１１０より入力される賞球払出信号に応じて払出装置１４１を制御し、上皿３１に所定数の賞球を払い出させる。
【００４３】
発射制御回路１５０は、遊技者による発射ハンドル７の回転操作に応じて発射装置１５１を作動させる。発射ハンドル７の回転操作量に応じて、発射装置１５１による玉の発射強度（玉の飛距離）を調節することが可能となっている。発射装置１５１より強く発射された玉は、遊技盤３上に形成された遊技領域３ａへと放出され中央役物１０の右側を自重によって流下し、発射装置１５１より弱く発射された玉は、中央役物１０の左側を自重によって流下する。
【００４４】
次に、図１および図２を用いて、パチンコ遊技機１における遊技の流れ（遊技盤３上での遊技状態の変化）について概要を説明する。
【００４５】
本実施形態のパチンコ遊技機１では、発射装置１５１より発射され遊技領域３ａへと放出された玉は、中央役物１０により左右に振り分けられ中央役物１０の右側あるいは左側を流下する。遊技領域３ａには各種装置が配設され、その配設位置と釘３ｂの植設位置とにより、第１始動口１９および第１大入賞装置１４へは中央役物１０の左側を流下する玉が入賞可能であり、通過ゲート１１，第２始動口１３および第２大入賞装置４１へは中央役物１０の右側を流下する玉が入球、入賞可能に構成されている。
【００４６】
パチンコ遊技機１の遊技状態は、入賞状態制御手段により電チュー１３への入賞状態が相対的に高く設定された時短状態と相対的に低く設定された通常状態、とがある。通常状態では、遊技領域３ａの右側に向けて打ち込まれた玉２０が通過ゲート１１に入球してゲート通過検出器１６１で検知されると、主回路１１０は、新たな普図の変動を開始可能なとき（普図の変動中でなく、電チュー１３が動作中でないとき）、普図用乱数カウンタ１１３ｂから値を抽出し、抽出した値を通常用普図判定テーブル（普図当選確率：１／１００）の当たり値と比較することで普図の当たり抽選を実行し、抽出した値が当たり値と一致していれば当たりと判定して電チュー１３の開放条件が成立する。そして、この当たり判定の結果に基づいて、普図の変動（普図表示部１６のＬＥＤ点滅）を開始する（普図変動時間：５〜６０秒間）。
【００４７】
上述の例では、普図は保留を持たない構成であるが、例えば４個のような上限数を設定して普図用乱数カウンタ１１３ｂから抽出した値（普図の抽選結果）を普図保留としてＲＡＭ１１３に記憶できるようにしてもよい。
【００４８】
通常状態で当たり判定の結果が当たりであると、普図表示部１６のＬＥＤを点灯表示させるとともに、電チューソレノイド１６６を励磁して回動翼片１３ａ，１３ａを開放して、所定の開放期間（開放時間：０．１秒間）だけ電チュー１３を入賞容易な開放状態にする。所定の開放期間経過後、電チュー１３（回動翼片１３ａ，１３ａ）を閉鎖する。なお、当たり判定の結果がハズレであるときは、普図表示部１６のＬＥＤを消灯して確定表示とする。
【００４９】
上述のように、通常状態では、遊技領域３ａの右側へ向けて玉２０を打ち込んでも普図の当選確率は低く、普図が当たりであっても電チュー１３の開放時間が短いため、ほとんど第２始動口（すなわち電チュー１３）に玉が入賞することはない。
【００５０】
よって通常状態では、遊技者は、常に入賞可能である第１始動口１９に入賞させるべく、遊技領域３ａの左側に向けて玉２０を打ち込む。玉２０が第１始動口１９に入賞して第１始動入賞検出器１６９で検知されると、所定数の賞球（例えば１入賞あたり３個）を払い出し、始動条件の成立を判定する。ＲＡＭ１１３上の特図保留記憶領域１１３ｄに記憶されている特図保留が３個以下であれば、始動条件が成立したと判定する。そのときのＲＡＭ１１３上の特図乱数カウンタ１１３ａの値を抽出し、特図保留としてＲＡＭ１１３上の特図保留記憶領域１１３ｄに記憶する。そして、記憶した特図保留を記憶した順に読み出し、ＲＯＭ１１２から読み出されてＲＡＭ１１３上に展開されている第１特図判定テーブル（図４参照）を用いて当否を判定する。この特図乱数カウンタ１１３ａの値を抽出し、第１特図判定テーブルにて当否判定する処理が、第１始動口１９への入賞に基づく抽選処理に該当する。その当否判定の結果に基づいて、第１特図表示部５１にて第１特図の変動表示を開始する。
【００５１】
図４のように、第１特図判定テーブルでは、例えば、当たり値が０〜９と定められている。また、特図乱数カウンタ１１３ａの値は０〜２９９９までの間で変動する。よって、第１特図判定における大当たりの確率（特図当選確率）は１／３００となる。また、各当たり値に応じて、大当たり状態後の時短状態の連続回数が定められており、大当たり状態となったとき、その大当たりと判定された当たり値に対応する連続回数をＲＡＭ１１３上の連続回数記憶領域１１３ｅに加算し、大当たり遊技終了後にはその連続回数記憶領域１１３ｅ上の値によって、その大当たり遊技終了後の遊技状態として時短状態と通常状態のいずれかが選択される。
【００５２】
また、大当たり遊技終了後の遊技状態として時短状態が選択されたとき、潜伏実行決定手段により潜伏処理を実行するか否かが決定される。潜伏処理とは、大当たり遊技が終了してから所定の潜伏期間だけ通常状態と同様の動作を行う潜伏状態としてから時短状態に移行する処理のことで、大当たり遊技終了後の遊技状態として時短状態が選択されたことをその潜伏期間だけ遊技者に伏せておくことができる。なお、この潜伏処理を実行する場合は、選択された潜伏期間に関する潜伏情報を記憶しておき、大当たり遊技終了後の遊技状態として通常状態が選択されたときに潜伏情報があれば、所定の補填期間だけ時短状態と同様の動作を行う補填状態としてから通常状態に移行する補填処理を実行する。一方、潜伏処理を実行しない場合には、大当たり遊技終了後の遊技状態は直ちに時短状態に移行する。これらの状態の遷移については、後で詳しく述べる。
【００５３】
一方、時短状態では、普図の当たり判定を時短用普図判定テーブルの当たり値と比較して行うので、普図の当選確率は高くなり（普図当選確率：９９／１００）、普図の変動時間は１秒間となり、回動翼片１３ａ，１３ａの開放時間が長くなる（１．５秒間×３回）ので、第２始動口１３へ入賞し易くなる。よって、時短状態では、遊技領域３ａの右側に向けて玉２０を打ち込んで遊技する。
【００５４】
玉２０が電チュー（すなわち第２始動口）１３に入賞して第２始動入賞検出器１６２で検知されると、所定数の賞球（例えば１入賞あたり３個）を払い出し、始動条件の成立を判定する。液晶表示装置８にて第１特図および第２特図のいずれの図柄変動が行われておらず、大当たり遊技中でもなく、第２大入賞装置４１が停止中（蓋部４１ａが閉状態）の場合、始動条件が成立したと判定する。始動条件が成立したと判定されたとき、そのときの特図乱数カウンタ１１３ａの値を抽出し、ＲＯＭ１１２から読み出されてＲＡＭ１１３上に展開されている第２特図判定テーブル（図５参照）を用いて当否を判定する。なお、第２特図判定テーブルによる判定結果は保留しない。そして、この当たり判定の結果に基づいて、第２特図表示部５２にて第２特図の変動表示を開始する。
【００５５】
上述の実施例では、第２特図は保留を持たない構成としたが、例えば４個のような上限数を設定して、特図乱数カウンタ１１３ａから抽出した値を特図保留として記憶できるようにしてもよい。
【００５６】
図５のように、第２特図判定テーブルでは、例えば、大当たりとなる当たり値が０〜９と定められている。また、特図乱数カウンタ１１３ａの値は０〜２９９９までの間で変動する。よって、第２特図判定における大当たりの確率（特図当選確率）は１／３００となる。また、各当たり値に応じて、大当たり状態後の時短状態の連続回数が定められており、大当たり状態となったときには、その大当たりと判定された当たり値に対応する連続回数をＲＡＭ１１３上の連続回数記憶領域１１３ｅに加算し、大当たり遊技終了時にはその連続回数記憶領域１１３ｅ上の値によって、その大当たり遊技終了後の遊技状態として時短状態と通常状態のいずれかが選択される。
【００５７】
一方、大当たりとならない場合（確率：２９９／３００）は、小当たりと判定される。所定の変動時間経過後、第２特図の当否判定の結果が小当たりであれば、第２特図表示部５２には小当たり図柄を停止表示して小当たりとなり、第２大入賞装置４１の蓋部４１ａを開放して、所定の開放期間（例えば開放時間１．５秒）だけ入賞容易な開放状態を呈する。そして、小当たり中に玉が第２大入賞装置４１に入賞してＶ入賞口４４に入賞したか否かを判定し、Ｖ入賞口４４に入賞した場合には大当たり状態となり、遊技制御手段が大当たり遊技を実行する。このように、特図乱数カウンタ１１３ａの値を抽出して第２特図判定テーブルにて当否を判定する処理、および当否判定により小当たりと判定した場合にＶ入賞口４４への入賞の有無を判定するまでの処理が、第２始動口への入賞に基づく抽選処理に該当する。この小当たり経由の大当たり遊技終了後の遊技状態も、ＲＡＭ１１３上の連続回数記憶領域１１３ｅの値によって時短状態と通常状態のいずれかが選択される。
【００５８】
上述のように、時短状態では、普図の当選確率は高まり、電チュー（すなわち第２始動口）１３の開放時間も長いので、直ぐに第２始動口１３へ入賞させることができる。また、第２始動口１３に玉が入賞すると、第２特図の抽選処理を行い、高確率で小当たりに当選し、小当たり状態となる。この小当たりにより開放された第２大入賞装置４１へ入賞した玉がＶ入賞すると、大当たり状態となる。つまり、時短状態では、遊技領域の右側へ向けて玉２０を打ち込むだけで、容易に次の大当たり状態を発生させることができる。なお、各時短状態は、次の大当たりに当選するか、両特図の変動回数の合計が１００回に達すると終了するが、時短状態に遊技領域３ａの右側へ玉を打ち込んだとき、Ｖ入賞するまでの両特図の変動回数の合計の平均は約１０回となるように設計されているので、時短状態のまま両特図の変動回数の合計が１００回に達する可能性は相当低い。
【００５９】
次に、液晶表示装置８での表示動作について説明する。第１特図表示部５１および第２特図表示部５２のいずれかにおいて特図の変動表示を開始するとき、主回路１１０から副制御回路１２０を介して表示制御コマンドを受信した表示制御回路１３０は、その受信した表示制御コマンドの指示にしたがって、液晶表示装置８で図柄の変動表示を開始する。特図の変動時間は、通常状態では５〜１２０秒、時短状態では１〜１０秒となっている。
【００６０】
液晶表示装置８では、表示制御コマンドにより指示された変動パターンにしたがって演出表示するとともに、３桁の図柄を所定の変動時間にわたり変動表示し、所定の変動時間経過後に左→右→中の順に指定された停止図柄を確定表示（停止表示）する。例えば、特図判定における判定結果が大当たりであれば「７７７」のような３桁の大当たり図柄を確定表示し、判定結果がハズレであれば３桁のハズレ図柄（例えば「３５７」等のバラケ目）を確定表示する。また、このとき、第１特図表示部５１あるいは第２特図表示部５２の変動表示も停止し、判定結果に応じて決定された図柄を停止表示する。なお、時短状態では、第２始動口１３への入賞に基づく小当たりが中心の遊技性となるので、液晶表示装置８では、その端の方の一角で小さな図柄により変動および停止表示する。図柄の変動時間もハズレの場合は１秒と短く設定されているので、図柄の変動を開始するとほぼ同時に停止図柄を確定表示することになる。
【００６１】
次に、大当たり状態における遊技制御手段による動作について説明する。第１特図表示部５１または第２特図表示部５２に大当たり図柄が停止表示されると、液晶表示装置８でも大当たり図柄が停止表示されて「大当たり状態」となり、遊技制御手段は大当たり遊技を実行する。まず、第１大入賞ソレノイド１６７を励磁することで第１大入賞装置１４を開放し、玉が極めて入り易い状況をもたらす。第１大入賞装置１４は、開放された後、第１大入賞検出器１６３による所定数（例えば１０個）の入賞検知または所定時間（例えば３０秒）の経過を１ラウンドとし、第１大入賞ソレノイド１６７を非励磁にすることで閉鎖される。１回の大当たり状態では、所定ラウンド回数（例えば１５回）まで繰り返されるので、このような大当たり状態の間に遊技者は多数の賞球（例えば１入賞当たり１５個）を得ることができる。なお、第２特図表示部５２に小当たり図柄が停止表示された後にＶ入賞口４４への入賞を検出したときにも、液晶表示装置８には大当たりになったことを表示して、遊技制御手段は上述した大当たり遊技を実行する。
【００６２】
次に、入賞状態選択手段の動作について説明する。特図の抽選処理で大当たりに当選したとき、該当する第１あるいは第２の特図判定テーブル（図４，図５参照）により、その大当たりと判定された当たり値に対応する連続回数に基づいて、入賞状態選択手段は、その直後に実行される大当たり遊技の終了後の遊技状態を時短状態と通常状態のいずれにするかを選択するとともに、当該大当たり遊技終了後の遊技状態を時短状態にすると選択するときには、これ以降に実行される大当たり遊技の終了後の遊技状態を何回連続して時短状態としてから通常状態とするかを決定する。
・連続回数が０回の場合、最初の大当たり終了後は通常状態とする。
・連続回数が１回の場合、最初の大当たり終了後は時短状態とし、小当たり経由で実行される大当たり終了後は通常状態とする。
・連続回数が２回の場合、最初と小当たり経由で実行される２回の大当たり終了後は時短状態とし、小当たり経由で実行される３回目の大当たり終了後は通常状態とする。
・連続回数が３回の場合、最初と小当たり経由で実行される３回の大当たり終了後は時短状態とし、小当たり経由で実行される４回目の大当たり終了後は通常状態とする。
つまり、特図の抽選処理で大当たりに当選し、その大当たりと判定された当たり値に対応する連続回数が３回であった場合は、４回の大当たりが連続して実行されることがほぼ約束される。
【００６３】
より具体的には、特図の抽選処理で大当たりに当選したとき、その大当たりと判定された当たり値に対応する連続回数をＲＡＭ１１３上の連続回数記憶領域１１３ｅに記憶する。大当たり遊技終了時にその連続回数記憶領域１１３ｅの値を確認し、値が０であればその大当たり遊技終了後の遊技状態を通常状態とし、値が０でなければ時短状態とする。なお、大当たり遊技終了後の遊技状態を時短状態とする場合は、その大当たり遊技終了時に連続回数記憶領域１１３ｅの値を１だけ減算することで、最初に記憶された連続回数と等しい回数連続して大当たり遊技終了後の遊技状態を時短状態とすることができるので、連続回数として最初に記憶された回数に１を加算した回数の大当たり遊技が連続して実行される連チャン状態となる。
【００６４】
また、時短状態であるときには、第２特図の抽選結果が大当たりと判定される確率（１／３００）に比べ、小当たり経由でＶ入賞する確率（約１／１０）の方が圧倒的に高いので、時短状態で実行される大当たり遊技の殆んどが小当たりを経由したものとなる。但し、第２特図の抽選結果が大当たりと判定される可能性、あるいは大当たり遊技中の第１始動入賞口１９への入賞に基づく抽選結果が大当たりと判定される可能性もある、このように時短状態であるときに特図の抽選処理でたまたま大当たりに当選した場合、新たに連続回数を決定し、先に決定されている連続回数に新たに決定した連続回数を上乗せする。これにより、大当たりをさらに多く連続して発生させることが可能となる。
【００６５】
以下、上記で説明したパチンコ遊技機１の特徴である潜伏状態と補填状態について説明する。上述のように、特図の変動時間、普図の当選確率および変動時間、普図当選時の電チュー１３の開放時間について、通常状態と時短状態のそれぞれに対応して設定されているが、時短状態に設定されたある潜伏期間だけは、通常状態と同じ動作をするように構成されている。
【００６６】
具体的には、大当たりが終了して時短状態となるとき、その時短状態の開始時に抽選を行い、その抽選結果により潜伏期間を設定すると判定されたときは、その時短状態の開始時からその抽選によって決定された回数の特図の変動表示が終了するまで、あたかも通常状態であるかのごとく特図、普図、電チュー１３が動作する。
【００６７】
さらに詳しくは、大当たり遊技終了後の遊技状態として時短状態が選択されているとき、その大当たり遊技終了時にＲＡＭ１１３上の潜伏用乱数カウンタ１１３ｃより現在の値を抽出し、潜伏判定テーブル（図６参照）の値と比較する（潜伏抽選処理）。抽出したカウンタ値が潜伏なし（１０〜９９）であれば、その大当たり遊技終了は直ちに時短状態に移行するが、潜伏あり（０〜９）であれば、対応する潜伏期間をＲＡＭ１１３上の潜伏回数記憶領域１１３ｇと補填回数記憶領域１１３ｈに加算記憶し、その大当たり遊技終了後は潜伏状態に移行する。潜伏状態では、入賞状態制御手段が電チュー１３の入賞状態を低入賞状態に制御するとともに、特図の変動時間も通常状態と同様に制御し、特図の変動表示が行われる毎に潜伏回数記憶領域１１３ｇの値から１を減算する。潜伏状態における特図の変動回数が先に記憶された潜伏期間の回数に達すると、潜伏回数記憶領域１１３ｇの値が０となり、遊技状態は時短状態に移行する。
【００６８】
本実施例のパチンコ遊技機１では、通常状態で第１特図が大当たりとなったときに、その後何回連続して大当たり遊技終了後の遊技状態を時短状態にするか設定しており、大当たり当選時や大当たり中には、その大当たり遊技終了後の遊技状態として時短状態が選択されているか否かを遊技者に報知せず、また大当たり遊技終了時にも時短状態であることを遊技者に報知しないので、遊技者は大当たり遊技が終了するたびに、その後の遊技状態として時短状態が選択されていることを期待している。そして、大当たりが終了してから潜伏期間が設定されると、本当は時短状態が潜伏しているのに遊技者には時短状態が選択されず通常状態に戻ってしまった、と思わせることができる。
【００６９】
通常状態に戻ってしまったと誤解した遊技者は、遊技領域３ａの左側へ玉を打ち込んで第１特図を変動表示させることになるが、第１特図の変動回数が潜伏期間として設定された変動回数に達するまでは、時短状態であることを報知することはできない。
【００７０】
また、図柄表示部（例えば液晶表示装置８）では、時短状態中は通常状態とは異なる「時短モード」として時短状態専用の表示を行うとともに、遊技者に遊技領域３ａの右側へ玉を打ち込むように「右打ち」を推奨する表示を行うよう構成されている。一方、潜伏期間中は通常状態と同じ表示にすることで、遊技者には時短による連チャンが終了したかのように思わせることができる。その後潜伏期間の解除条件（設定された特図の変動回数）が満たされ、次の特図の変動表示を開始する瞬間に表示を「時短モード」に切り替えることで、遊技者の興奮を一気に高めるようにしている。
【００７１】
潜伏期間中は、第１特図の変動時間も通常状態と同様の変動時間が選択されて変動表示を行っており、潜伏期間が終了すると時短状態の変動時間（ハズレなら１秒）が選択されるので、遊技者は第１特図の変動時間の変化からも実は時短状態であったことを知ることができる。
【００７２】
潜伏期間が終了すると普図と電チューも時短状態本来の動作を行うようになるので、遊技者はまた遊技領域３ａの右側へ玉を打ち込み、小当たり経由で次の大当たりを発生させることができるようになる。
【００７３】
このような潜伏期間が設定されると、遊技者には、本当は時短状態が選択されているのにこの潜伏期間だけその時短状態としての恩恵を受けられなかったという損失感を与えてしまうことになる。
【００７４】
そこで、この潜伏期間が発生した場合、その解除条件となる特図の変動回数を補填回数として記憶しておき、その後時短状態を挟んだ大当たりの連チャン状態が終了して通常状態になったときに、その記憶しておいた補填回数分の特図の変動表示が行われる間だけ、特図や普図、電チュー１３が時短状態と同様の動作をする補填期間を発生させるように構成されている。
【００７５】
具体的には、上述したように、潜伏抽選処理にて抽出したカウント値が潜伏ありであった場合は、補填回数記憶領域１１３ｈにも選択された潜伏期間が加算記憶されている。そこで、大当たり遊技終了後の遊技状態として通常状態が選択されているとき、その大当たり遊技終了時に補填回数記憶領域１１３ｈの値を確認し、０であればその大当たり遊技終了後直ちに通常状態に移行するが、０でなければ補填状態に移行する。補填状態では、入賞状態制御手段が電チュー１３の入賞状態を高入賞状態に制御するとともに、特図の変動時間も時短状態と同様に制御し、特図の変動表示が行われるたびに補填回数記憶領域１１３ｈの値から１を減算する。補填状態における特図の変動回数が時短状態を挟んだ大当たりの連チャン中に発生した潜伏期間の累計回数（補填期間）に達すると、補填回数記憶領域１１３ｈの値が０になり、遊技状態は通常状態に移行する。
【００７６】
本来は大当たり遊技終了後の遊技状態として通常状態が選択されているのに時短状態と同じ動作を行うことで、遊技者は遊技領域３ａの右側へ玉を打ち込めば、小当たり経由の新たな大当たりを発生させることができるかも知れない。このような補填期間を設けることで、遊技者に与えた損失感を補填することができる。なお、この実施例では、補填期間中に小当たり経由で大当たりが発生した場合は、その大当たり終了後は補填が過剰にならないよう、通常状態に戻す構成としたが、補填回数をリセットしないで残しておき、その大当たり遊技終了後に残りの補填期間だけ補填状態とする構成でもよい。また、補填期間中は補填期間であることを報知し、例えば液晶表示装置８で、「右打ち」を推奨する表示を行う。
【００７７】
以下、パチンコ遊技機１の主回路１１０において実行される処理について説明する。これらの処理は、予め定められたタイミングで繰り返し実行される。まず、図７を用いて、第１始動入賞処理について説明する。第１始動口１９に併設される第１始動入賞検出器１６９が玉２０の通過を検出すると、検出信号が主回路１１０に送信される。主回路１１０は、第１始動入賞検出器１６９から検出信号を受信すると（Ｓ１１：ＹＥＳ）、玉３個を賞球として払い出す（Ｓ１２）。このとき、主回路１１０は、払出制御回路１４０に賞球払出信号を出力し、払出装置１４１から上皿３１に、上述の所定数の賞球の払い出しを行うように指示する。
【００７８】
続いて、主回路１１０は、ＲＡＭ１１３上の特図保留記憶領域１１３ｄを参照し、特図保留が４個に達しているか否かを判定する（Ｓ１３）。
【００７９】
特図保留の数が４未満であると判定すると（Ｓ１３：ＹＥＳ）、主回路１１０は、ＲＡＭ１１３上の特図用乱数カウンタ１１３ａより現在の値を抽出する。そして、抽出したカウンタ値を特図保留としてＲＡＭ１１３上の特図保留領域１１３ｄに記憶する（Ｓ１４）。
【００８０】
最後に、主回路１１０は、特図保留表示部９のＬＥＤ（保留ランプ）を新たに（例えば、左から順に）１つ点灯する（Ｓ１５）。そして、本処理を終了する。
【００８１】
なお、第１始動入賞検出器１６９から検出信号を受信しないときには（Ｓ１１：ＮＯ）、直ちに本処理を終了する。また、特図保留が４個に達しているときにも（Ｓ１３：ＮＯ）、直ちに本処理を終了する。
【００８２】
次に、図８を用いて、第２始動入賞処理について説明する。電チュー（第２始動口）１３に併設される第２始動入賞検出器１６２が玉２０の通過を検出すると、検出信号が主回路１１０に送信される。主回路１１０は、第２始動入賞検出器１６２から検出信号を受信すると（Ｓ３１：ＹＥＳ）、玉３個を賞球として払い出す（Ｓ３２）。このとき、主回路１１０は、払出制御回路１４０に賞球払出信号を出力し、払出装置１４１から上皿３１に、上述の所定数の賞球の払い出しを行うように指示する。
【００８３】
続いて、主回路１１０は、ＲＡＭ１１３上の状態フラグ記憶領域１１３ｊを参照し、遊技状態が大当たり状態（１）であるか否かを判定する（Ｓ３３）。主回路１１０は、遊技状態が大当たり状態でないと判定すると（Ｓ３３：ＹＥＳ）、第１および第２の特図が停止中か否かを判定する（Ｓ３４）。特図の変動／停止は、ＲＡＭ１１３上の特図変動タイマ（図示せず）を参照し、タイマが停止しているときは特図が停止中であると判定してもよいし、フラグ情報としてＲＡＭ１１３に記憶しておき、その記憶内容から判定してもよい。
【００８４】
主回路１１０は、特図が停止中であると判定すると（Ｓ３４：ＹＥＳ）、第２大入賞装置４１が停止中か否かを判定する（Ｓ３５）。第２大入賞装置４１が停止中か否かの判定は、例えば第２大入賞ソレノイド１７３を励磁しているか否かにより判定する。つまり、第２大入賞ソレノイド１７３を励磁していなければ、第２大入賞装置４１が停止中であると判定できる。
【００８５】
主回路１１０は、第２大入賞装置４１が停止中であると判定すると（Ｓ３５：ＹＥＳ）、ＲＡＭ１１３上の特図用乱数カウンタ１１３ａより現在の値を抽出する（Ｓ３６）。そして、ＲＯＭ１１２から読み出されてＲＡＭ１１３上に展開されている第２特図判定テーブルの当たり値と比較して当否を判定する。抽出したカウンタ値が、第２特図判定テーブルの当たり値と一致していれば当たりと判定される。
【００８６】
続いて、主回路１１０は、当たりの判定結果（抽選結果）に基づいて特図の変動時間，表示する内容や変動パターン（キャラクタ表示やリーチ演出の有無など），および停止図柄を決定する（Ｓ３７）。最後に、演出内容および停止図柄に基づいて特図変動処理を実行し（Ｓ３８，図１０参照）、その後本処理を終了する。
【００８７】
なお、第２始動入賞検出器１６２から検出信号を受信しないとき（Ｓ３１：ＮＯ）、遊技状態が大当たり中であるとき（Ｓ３３：ＮＯ）、第１あるいは第２の特図が変動中であるとき（Ｓ３４：ＮＯ）、あるいは第２大入賞装置４１が動作中であるき（Ｓ３５：ＮＯ）、直ちに本処理を終了する。
【００８８】
図９を用いて、第１特図変動前処理について説明する。まず、主回路１１０は、ＲＡＭ１１３上の特図保留記憶領域１１３ｄを参照し、特図保留が記憶されているか否かを判定する（Ｓ５１）。
【００８９】
主回路１１０は、特図保留が記憶されていると判定すると（Ｓ５１：ＹＥＳ）、ＲＡＭ１１３上の状態フラグ記憶領域１１３ｊを参照し、遊技状態が大当たり状態（１）であるか否かを判定する（Ｓ５２）。主回路１１０は、遊技状態が大当たり状態でないと判定すると（Ｓ５２：ＹＥＳ）、図８の処理と同様に、第１および第２の特図が停止中か否かを判定する（Ｓ５３）。
【００９０】
主回路１１０は、第１および第２の特図が停止中であると判定すると（Ｓ５３：ＹＥＳ）、ＲＡＭ１１３上の特図保留記憶領域１１３ｄから最古の特図保留を読み出す（Ｓ５４）。そして、読み出した特図保留の値を、ＲＯＭ１１２から読み出されてＲＡＭ１１３上に展開されている第１特図判定テーブルの当たり値と比較して当否を判定する。読み出した特図保留の値が、第１特図判定テーブルの当たり値と一致していれば当たりと判定される。その判定結果（抽選結果）に基づいて特図の変動時間，表示する内容や変動パターン（キャラクタ表示やリーチ演出の有無など），および停止図柄を決定する（Ｓ５５）。
【００９１】
次に、読み出された特図保留に対応する特図保留表示部９のＬＥＤ（保留ランプ）点灯状態を変更する（Ｓ５６）。すなわち、４個のＬＥＤの表示状態を左へ１個ずつシフトし、右端のＬＥＤを消灯状態とする。最後に、演出内容および停止図柄に基づいて特図変動処理を実行し（Ｓ５７，図１０参照）、その後本処理を終了する。
【００９２】
なお、特図保留が記憶されていないとき（Ｓ５１：ＮＯ）、遊技状態が大当たり状態であるとき（Ｓ５２：ＮＯ）、第１および第２の特図が変動中であるとき（Ｓ５３：ＮＯ）、直ちに本処理を終了する。
【００９３】
図８および図９の処理において、特図の変動時間は、ＲＡＭ１１３上の状態フラグ記憶領域１１３ｊを参照し、潜伏期間中は通常状態と同様に比較的長く設定し（５〜１２０秒）、補填期間中は時短状態と同様に比較的短く設定する（１〜１０秒）。潜伏期間および補填期間の詳細については後述する。
【００９４】
図１０を用いて、図８のステップＳ３８および図９のステップＳ５７に相当する特図変動処理について説明する。まず、主回路１１０は、該当する特図表示部（第１特図：第１特図表示部５１，第２特図：第２特図表示部５２）における特図の変動表示を開始する（Ｓ７１）。このとき、ＲＡＭ１１３上の特図変動タイマ（図示せず）のカウントを開始するとともに、副制御回路１２０に対し液晶表示装置８での図柄の変動開始を指示する。具体的には、副制御回路１２０を経由し、表示制御回路１３０に対して演出内容および停止図柄を指示する表示制御コマンドを送信し、表示制御回路１３０は、受信した表示制御コマンドにしたがって液晶表示装置８において特図の図柄の変動表示を開始する。
【００９５】
図８のステップＳ３７あるいは図９のステップＳ５５で定められた特図変動時間が経過すると（Ｓ７２：ＹＥＳ）、主回路１１０は、該当する特図表示部における特図の変動を停止する（Ｓ７３）。このとき、ＲＡＭ１１３上の特図変動タイマ（図示せず）のカウントを停止、リセットするとともに、副制御回路１２０に対し液晶表示装置８での図柄変動の停止を指示する。具体的には、副制御回路１２０を経由し、表示制御回路１３０に対して変動停止を指示する表示制御コマンドを送信し、表示制御回路１３０は、受信した表示制御コマンドにしたがって液晶表示装置８における特図の図柄変動を停止し、先に指示された停止図柄を表示する。例えば、特図抽選結果が大当たりのときは、液晶表示装置８に大当たり図柄（「７７７」など奇数のゾロ目）が表示される。特図抽選結果がハズレのときは、液晶表示装置８にハズレ図柄が表示される。
【００９６】
最後に、主回路１１０は、変動停止後処理を実行し（Ｓ７４，図１１参照）、その後本処理を終了する。
【００９７】
図１１を用いて、図１０のステップＳ７４に相当する変動停止後処理について説明する。まず、主回路１１０は、ＲＡＭ１１３上の状態フラグ記憶領域１１３ｊを参照し、遊技状態が時短状態（２）であるか否かを判定する（Ｓ９１）。
【００９８】
主回路１１０は、遊技状態が時短状態（２）であると判定すると（Ｓ９１：ＹＥＳ）、ＲＡＭ１１３上の継続回数記憶領域１１３ｆの値を１だけ減算する（Ｓ９２）。そして、減算後の継続回数記憶領域１１３ｆの値が０であるか否かを判定し、０であるとき（Ｓ９３：ＹＥＳ）、遊技状態を通常状態（０）とする（Ｓ９４）。そして、大当たり判定を行う（Ｓ１０３，後述）。
【００９９】
主回路１１０は、遊技状態が時短状態でないと判定すると（Ｓ９１：ＮＯ）、遊技状態が潜伏状態（３）であるか否かを判定する（Ｓ９５）。
【０１００】
主回路１１０は、遊技状態が潜伏状態であると判定すると（Ｓ９５：ＹＥＳ）、ＲＡＭ１１３上の潜伏回数記憶領域１１３ｇの値を１だけ減算する（Ｓ９６）。そして、減算後の潜伏回数記憶領域１１３ｇの値が０であるか否かを判定し、０であるとき（Ｓ９７：ＹＥＳ）、遊技状態を時短状態（２）とする（Ｓ９８）。そして、大当たり判定を行う（Ｓ１０３，後述）。
【０１０１】
主回路１１０は、遊技状態が潜伏状態でないと判定すると（Ｓ９５：ＮＯ）、遊技状態が補填状態（４）であるか否かを判定する（Ｓ９９）。
【０１０２】
主回路１１０は、遊技状態が補填状態（つまり補填処理中）であると判定すると（Ｓ９９：ＹＥＳ）、ＲＡＭ１１３上の補填回数記憶領域１１３ｈの値を１だけ減算する（Ｓ１００）。そして、減算後の補填回数記憶領域１１３ｈの値が０であるか否かを判定し、０であるとき（Ｓ１０１：ＹＥＳ）、遊技状態を通常状態（０）とする（Ｓ１０２）。そして、大当たり判定を行う（Ｓ１０３，後述）。
【０１０３】
ステップＳ１０３では、第１特図の場合、図９のステップＳ５４で読み出した特図保留に対応する抽選結果が大当たりであるか否かを判定する。第２特図の場合、図８のステップＳ３６，Ｓ３７における第２特図の抽選結果が大当たりであるか否かを判定する。
【０１０４】
そして、抽選結果が大当たりであれば（Ｓ１０３：ＹＥＳ）、主回路１１０は、当たり値と、第１特図判定テーブルあるいは第２特図判定テーブルとに基づいて、大当たり後の時短状態を繰り返す最大回数（連続回数）を判定し、ＲＡＭ１１３上の連続回数記憶領域１１３ｅの値に加算する（Ｓ１０４）。そして、ＲＡＭ１１３上状態フラグの遊技状態を大当たり状態（１）に変更する（Ｓ１０５）。
【０１０５】
一方、抽選結果が大当たりでなければ（Ｓ１０３：ＮＯ）、主回路１１０は、第２特図の抽選結果が小当たりであるか否かを判定する（Ｓ１０６）。そして、抽選結果が小当たりであれば（Ｓ１０６：ＹＥＳ）、主回路１１０は、小当たり処理を実行し（Ｓ１０７，図１２参照）、その後本処理を終了する。
【０１０６】
図１２を用いて、図１１のステップＳ１０７に相当する、抽選結果が小当たりの場合に実行される小当たり処理について説明する。まず、主回路１１０は、第２大入賞ソレノイド１７３を励磁することにより、第２大入賞装置４１の蓋部４１ａを開放する（Ｓ１３１）。これにより、第２大入賞装置４１への玉の入賞が可能になる。
【０１０７】
所定の開放時間である１．５秒が経過すると（Ｓ１３２：ＹＥＳ）、主回路１１０は、第２大入賞ソレノイド１７３を非励磁とすることにより、第２大入賞装置４１の蓋部４１ａを閉鎖する（Ｓ１３３）。これにより、第２大入賞装置４１への玉の入賞ができなくなる。
【０１０８】
次に、主回路１１０は、第２大入賞装置４１へ入賞した玉が、前述のような所定時間内（第２大入賞装置４１閉鎖後の遅延時間を含む）に、Ｖ入賞口４４へ入賞したか否かを判定する（Ｓ１３４）。Ｖ入賞口４４への入賞は、Ｖ入賞検出器１７１により検出される。主回路１１０は、Ｖ入賞口４４への入賞を検出したとき（Ｓ１３４：ＹＥＳ）、ＲＡＭ１１３上の状態フラグ記憶領域１１３ｊを参照し、遊技状態が補填状態（４）であるか否かを判定する（Ｓ１３５）。
【０１０９】
遊技状態が補填状態であると判定すると（Ｓ１３５：ＹＥＳ）、主回路１１０は、ＲＡＭ１１３上の補填回数記憶領域１１３ｈの値を０とする（Ｓ１３６）。これにより、補填期間中に大当たりとなった場合に、その大当たり終了後の遊技状態を直ぐに通常状態にして、過剰な補填を防止することができる。最後に、ＲＡＭ１１３上の状態フラグ記憶領域１１３ｊの遊技状態を大当たり状態（１）とする（Ｓ１３７）。その後、本処理を終了する。
【０１１０】
図１３を用いて、抽選結果が大当たりの場合に実行される大当たり処理について説明する。まず、主回路１１０は、ＲＡＭ１１３上の状態フラグ記憶領域１１３ｊの遊技状態が大当たり状態（１）であるか否かを判定する（Ｓ１５１）。そして、大当たり状態でなければ（Ｓ１５１：ＮＯ）、本処理を終了する。
【０１１１】
一方、大当たり状態であれば（Ｓ１５１：ＹＥＳ）、主回路１１０は、ＲＡＭ１１３上に記憶されるラウンド数（図示せず）に１を加算し（Ｓ１５２）、第１大入賞ソレノイド１６７を励磁することにより、第１大入賞装置１４を開放する（Ｓ１５３）。これにより、第１大入賞装置１４への玉の入賞が可能になる。
【０１１２】
そして、第１大入賞装置１４へ１ラウンドの入賞可能玉数である１０個の玉が入賞するか（Ｓ１５４：ＹＥＳ）、第１大入賞装置１４が開放状態となってから１ラウンドの最大開放時間である３０秒が経過するか（Ｓ１５５：ＹＥＳ）のいずれかが満たされると、主回路１１０は、第１大入賞ソレノイド１６７を非励磁とすることにより、第１大入賞装置１４を閉鎖する（Ｓ１５６）。これにより、第１大入賞装置１４への玉の入賞ができなくなる。
【０１１３】
そして、ラウンド数が最大ラウンド数である１５に満たないとき（Ｓ１５７：ＮＯ）、本処理を一旦終了してから再度実行し、ラウンド数が１５になるまで本処理を繰り返す。一方、ラウンド数が最大ラウンド数である１５になると（Ｓ１５７：ＹＥＳ）、主回路１１０は、ラウンド数を初期値０にリセットする（Ｓ１５８）。
【０１１４】
最後に、主回路１１０は、大当たり後処理を実行し（Ｓ１５９，図１４参照）、その後本処理を終了する。
【０１１５】
図１４を用いて、図１３のステップＳ１５９に相当する大当たり後処理について説明する。まず、主回路１１０は、ＲＡＭ１１３上の連続回数記憶領域１１３ｅを参照し、連続回数の値が０であるか否かを判定する（Ｓ１７１）。連続回数の値が０でないと判定したとき（Ｓ１７１：ＹＥＳ）、主回路１１０は、ＲＡＭ１１３上の潜伏用乱数カウンタ１１３ｃの値を抽出する（Ｓ１７２）。そして、ＲＯＭ１１２から読み出されてＲＡＭ１１３上に展開している潜伏判定テーブル（図６参照）を参照し、潜伏期間の有無を判定する（Ｓ１７３）。
【０１１６】
図６に、潜伏判定テーブルの一例を示す。同じ「潜伏有り」でも、カウンタ値によって潜伏期間が異なるように設定されている。潜伏期間は、例えば特図の変動回数として定められている。例えば、「潜伏期間１０回」は、特図の変動が１０回行われるまで、潜伏状態が継続することを意味している。
【０１１７】
図１４に戻り、潜伏期間有りと判定したとき（Ｓ１７３：ＹＥＳ）、主回路１１０は、ＲＡＭ１１３上の潜伏回数記憶領域１１３ｇおよび補填回数記憶領域１１３ｈの値に、判定された潜伏期間の回数を加算する（Ｓ１７４）。そして、ＲＡＭ１１３上の状態フラグ１１３ｊの遊技状態を、潜伏状態（３）とする（Ｓ１７５）。このとき、液晶表示装置８では、遊技者に遊技領域３ａの左側へ玉を打つことを推奨する旨の表示を行う。
【０１１８】
一方、潜伏期間無しと判定したとき（Ｓ１７３：ＮＯ）、主回路１１０は、遊技状態を時短状態（２）とする（Ｓ１７８）。このとき、液晶表示装置８では、遊技者に遊技領域３ａの右側へ玉を打つことを推奨する旨の表示を行う。
【０１１９】
遊技状態が決定すると、主回路１１０は、ＲＡＭ１１３上の連続回数記憶領域１１３ｅの値を１だけ減算し（Ｓ１７６）、継続回数記憶領域１１３ｆの値に１００をセットする（Ｓ１７７）。その後、本処理を終了する。
【０１２０】
一方、連続回数の値が０であると判定したとき（Ｓ１７１：ＮＯ）、主回路１１０は、ＲＡＭ１１３上の潜伏回数記憶領域１１３ｇの値を参照し、その値が０であるか否かを判定する（Ｓ１７９）。潜伏回数が０でないと判定すると（Ｓ１７９：ＹＥＳ）、主回路１１０は、遊技状態を補填状態（４）とする（Ｓ１８０）。このとき、液晶表示装置８では、遊技者に遊技領域３ａの右側へ玉を打つことを推奨する旨の表示を行う。その後、本処理を終了する。
【０１２１】
一方、潜伏回数が０であると判定すると（Ｓ１７９：ＮＯ）、主回路１１０は、遊技状態を通常状態（０）とする（Ｓ１８１）。このとき、液晶表示装置８では、遊技者に遊技領域３ａの左側へ玉を打つことを推奨する旨の表示を行う。その後、本処理を終了する。
【０１２２】
図１５に、パチンコ遊技機１における遊技状態の遷移例を表したタイミングチャートを示す。図１５（ａ）に、通常状態に第１特図で大当たりとなり、大当たり後の時短状態の最大連続回数が２回で、１度も潜伏がなかった場合の例を示す。時短状態（継続回数１００回以内）→大当たり状態のサイクルを２回繰り返して、補填状態に移行せず通常状態に戻る。
【０１２３】
図１５（ｂ）に、通常状態に第１特図で大当たりとなり、大当たり後の時短状態の最大連続回数が２回で、１回目の大当たり後の判定で潜伏期間が設定された場合の例を示す。１回目の大当たりの後は潜伏状態に移行し、潜伏期間経過後は時短状態に移行し、その後２回目の大当たり状態となるが、２回目の大当たり後の判定では潜伏期間が設定されなかったため、直ちに時短状態に移行する。時短状態が２回発生した後の大当たり状態終了後は、潜伏期間の不利益を補填する補填状態に移行し、補填期間終了後は通常状態に戻る。
【０１２４】
図１５（ｃ）に、図１５（ｂ）の変形例として、通常状態に第１特図で大当たりとなり、大当たり後の時短状態の最大連続回数が２回で、１回目の大当たり後の判定で潜伏期間が設定され、さらに補填期間中に大当たりとなった場合の例を示す。補填期間中に大当たりとなったときには、大当たり終了後には、残りの補填期間は継続せず、時短状態にも移行せず通常状態に戻る。
【０１２５】
図１５（ｄ）に、通常状態に第１特図で大当たりとなり、大当たりの連続回数が１回で、大当たり後の判定で潜伏期間が設定された場合の例を示す。潜伏状態から時短状態に復帰しても、大当たりに当選しなければ、特図の変動表示が１００回行われた後に通常状態に戻る。時短状態では、第２大入賞装置４１に入賞する確率が高く、これによりＶ入賞口４４に入賞するＶ入賞大当たりに当選しやすくなるので、この例は稀である。
【０１２６】
上述の実施例において、大当たり確率や時短状態の連続回数と振分率（当たり値に対応する連続回数の設定）の設定など、各種設計値は適宜変更できる。
【０１２７】
上述の実施例では、第１および第２の両特図が同時に変動しない構成としたが、両特図が並行して変動するようにしてもよい。
【０１２８】
上述の実施例では、時短状態において特図の抽選処理で大当たりに当選したとき、通常状態と同じ振分率で連続回数を決定するようにしたが、通常状態とは異なる振分率で上乗せする連続回数を決定するようにしてもよい。確率的には滅多に発生しないので、例えば連続回数０回への振分率を０％にするなど、通常状態より大きな回数に振り分けると、遊技者の興趣をより高めることができる。
【０１２９】
上述の実施例では、時短状態において特図の抽選処理で大当たりに当選したとき、新たに決定した連続回数を上乗せするようにしたが、新たな連続回数に置き換えるようにしてもよい。この場合、上記変形例のように、通常状態より遊技者にとって有利な振分率で連続回数を決定するようにするとさらによい。これにより、連続回数を置き換えることで残りの時短回数が減ってしまう可能性が低くなる。
【０１３０】
上述の実施例では、時短状態開始時に抽選して潜伏期間を設定するか否か判定したが、その直前の大当たりの契機となった特図（大当たりに当選した特図、若しくはＶ入賞の契機となった小当たり当選時の特図）によって設定するようにしてもよい。こうすることで、抽選用のデータテーブルが複雑とならず、抽選処理を統合することで主回路１１０での処理負荷の増大を抑制できる。
【０１３１】
上述の実施例では、潜伏期間を特図の変動回数により設定するようにしたが、時短状態となってからの経過時間などで設定することも可能である。また、潜伏期間の長さも複数種類設けず、単一の期間としても十分に遊技者の興趣を高めることができる。さらに、補填期間の長さについても、必ずしも潜伏期間と同じにする必要もなく、適宜設定すればよい。
【０１３２】
上述の実施例では、初回の大当たり当選時に連続回数を決定するようにしたが、大当たりが発生する毎にその後時短状態とするか否かを抽選するようにしてもよい。例えば、通常状態で大当たりに当選したときの図柄、あるいは小当たり経由でＶ入賞したときの小当たり図柄に基づいて、その大当たり終了後に時短状態とするか否かを判定する。さらに、時短状態とすると判定された場合に潜伏期間を設けるか否かも判定することで、大当たり終了後に時短状態が選択されなかったかのような動作を行うことができるとともに、その後通常状態となったときに補填期間を設けることができるので、実施例のように遊技者の興趣を高めることができる。
【０１３３】
上述の実施例では、いわゆる第１種（セブン機）と第２種（羽根物）の複合タイプのパチンコ遊技機を例にしたが、これに限らず、所定の大当たり図柄で当選した後は当選確率を高めた確変状態となるタイプのパチンコ遊技機にも適用できる。例えば、大当たりを確変大当たりと非確変大当たりの２種類とし、確変大当たり終了後は該確変状態に移行し、非確変大当たり終了後は時短状態に移行する。つまり、大当たり終了後に普図と電チュー１３による時短状態が発生できるタイプのパチンコ遊技機であればよい。
【０１３４】
上述の実施例では、普図の当選確率、変動時間、普図当選時の電チュー１３の開放時間を通常状態と時短状態とで全て異なる設定としたが、これに限らず、普図の当選確率や変動時間の一方または両方を通常状態と時短状態とで同じ設定としてもよい。普図が当選しても通常状態での電チュー１３の開放時間が極端に短ければ、通常状態で電チュー１３にほとんど入賞させないように構成することができる。あるいは、第２特図の小当たりの当選確率を通常状態は低く設定することで、通常状態に右打ちして頻繁に大当たりが発生してしまう事態を防ぐことができる。（通常状態の右打ちで頻繁に大当たりが発生してしまうと遊技性が変わってしまう。）
【０１３５】
以上、本発明の実施の形態を説明したが、これらはあくまで例示にすぎず、本発明はこれらに限定されるものではなく、特許請求の範囲の趣旨を逸脱しない限りにおいて、当業者の知識に基づく種々の変更が可能である。
【図面の簡単な説明】
【０１３６】
【図１】本発明の一実施例であるパチンコ遊技機の正面模式図。
【図２】図１のパチンコ遊技機の制御ブロック図。
【図３】図２のＲＡＭの記憶内容の一例を示す図。
【図４】第１特図判定テーブルの一例を示す図。
【図５】第２特図判定テーブルの一例を示す図。
【図６】潜伏判定テーブルの一例を示す図。
【図７】図２の主回路における第１始動入賞処理を説明するフロー図。
【図８】図２の主回路における第２始動入賞処理を説明するフロー図。
【図９】図２の主回路における第１特図変動前処理を説明するフロー図。
【図１０】図２の主回路における特図変動処理を説明するフロー図。
【図１１】図２の主回路における変動停止後処理を説明するフロー図。
【図１２】図２の主回路における小当たり処理を説明するフロー図。
【図１３】図２の主回路における大当たり処理を説明するフロー図。
【図１４】図２の主回路における大当たり後処理を説明するフロー図。
【図１５】遊技状態の遷移例を示すタイミングチャート。
【符号の説明】
【０１３７】
１    パチンコ遊技機
３ａ  遊技領域
４    スピーカ
７    発射ハンドル
８    液晶表示装置
９    特図保留表示部
１１    通過ゲート
１３    第２始動口（電チュー，可変入賞装置）
１４    第１大入賞装置
１９    第１始動口
４１    第２大入賞装置
４４    Ｖ入賞口
１１０    主回路（入賞状態制御手段、遊技制御手段，入賞状態選択手段，潜伏実行決定手段，補填実行決定手段）
１１３    ＲＡＭ
１１３ｃ  潜伏用乱数カウンタ
１１３ｅ  連続回数記憶領域
１１３ｆ  継続回数記憶領域
１１３ｇ  潜伏回数記憶領域（潜伏情報記憶手段）
１１３ｈ  補填回数記憶領域（潜伏情報記憶手段）
１６２    第２始動入賞検出器
１６３    第１大入賞検出器
１６４    第２大入賞検出器
１６９    第１始動入賞検出器
１７１    Ｖ入賞検出器
【図１】
2010142468.tif 000003
【図２】
2010142468.tif 000004
【図３】
2010142468.tif 000005
【図４】
2010142468.tif 000006
【図５】
2010142468.tif 000007
【図６】
2010142468.tif 000008
【図７】
2010142468.tif 000009
【図８】
2010142468.tif 000010
【図９】
2010142468.tif 000011
【図１０】
2010142468.tif 000012
【図１１】
2010142468.tif 000013
【図１２】
2010142468.tif 000014
【図１３】
2010142468.tif 000015
【図１４】
2010142468.tif 000016
【図１５】
2010142468.tif 000017